(57)【要約】【課題】  通信プロトコルの違いによりソートしたＡＶ機器選択のためのＧＵＩ画面を表示する。【解決手段】  通信プロトコル毎に分けて、ＡＶ機器を表示する。ユーザーは、接続機器一覧の表示画面から所望のコンテンツを記録してあるＡＶ機器を選択すると、次の段のメニューとして当該選択されたＡＶ機器内のコンテンツ一覧画面が表示され、所望のコンテンツを選択することができるようになっている。通信プロトコル毎に分けて配置した、ＡＶ機器を選択するためのＧＵＩ画面を作成し、ＡＶ機器を表示する。このように表示することで、通信プロトコル毎に分けて、ＡＶ機器を選択するためのＧＵＩ画面を表示することができる。ＡＶ機器を選択するための象徴としては、例えば、ボタン、アイコン、文字等を用いる。【選択図】      図４
2006352682.tif 000002
【特許請求の範囲】
【請求項１】
接続されている機器を検出する機器検出部と、
前記検出された機器との間でデータ通信を行うときの通信プロトコルを検出する通信プロトコル検出部と、
前記機器が前記通信プロトコル毎に分けて配置された前記機器を選択するためのＧＵＩ画面を生成するＧＵＩ画面生成部とを備えたことを特徴とする制御装置。
【請求項２】
前記ＧＵＩ画面生成部は、前記機器の物理的な接続の種別毎に分けて配置した後、更に、前記機器が前記通信プロトコル毎に分けて配置された前記機器を選択するためのＧＵＩ画面を生成することを特徴とする請求項１記載の制御装置。
【請求項３】
更に、前記機器と前記機器に対応した前記通信プロトコルとを対応付けた情報を記憶媒体に記憶する記憶部を備え、
前記ＧＵＩ画面生成部は、この記憶部に記憶されたデータをソートした情報を用いて、前記機器が前記通信プロトコル毎に分けて配置された前記機器を選択するためのＧＵＩ画面を生成することを特徴とする請求項１記載の制御装置。
【請求項４】
更に、前記ＧＵＩ画面に対するユーザーの操作により、所望の機器が選択されると、この選択された機器内のコンテンツを選択するためのコンテンツ選択画面を生成するコンテンツ選択画面生成部を有することを特徴とする請求項１乃至３のいずれか１項に記載の制御装置。
【請求項５】
更に、接続されている機器を前記機器検出部に対して定期的に検出し直させ、この検出に変更があった場合に前記ＧＵＩ画面生成部に対して前記ＧＵＩ画面を更新させる制御手段を備えたことを特徴とする請求項１乃至４のいずれか１項に記載の制御装置。
【請求項６】
機器検出部によって接続されている機器を検出し、
通信プロトコル検出部により、前記検出された機器との間でデータ通信を行うときの通信プロトコルを検出し、
ＧＵＩ画面生成部により、前記機器が前記通信プロトコル毎に分けて配置された前記機器を選択するためのＧＵＩ画面を生成することを特徴とする制御方法。
【発明の詳細な説明】
【技術分野】
【０００１】
この発明は、ネットワークに接続された機器を制御する制御装置および制御方法に関する。
【背景技術】
【０００２】
ユーザーが使用している端末から、その端末にネットワークやＩＥＥＥ１３９４またはリムーバブルメディアなど、様々な形態で接続されているメディアに保存されているコンテンツを利用する場合、コンテンツの名前、フォーマット、保存されている端末の名前等の情報を手掛かりとして目的とするコンテンツを探して選択し、利用することとなる。しかし、利用できるコンテンツ数や機器数が増えると表示が煩雑になり、ユーザーに対して、目的のコンテンツへのアクセスを妨げる要因になる。
【０００３】
まずサンプルとして図１のように、ユーザーが利用している端末に６つの機器が接続されて利用できる場合の、利用可能な機器一覧の表示方法を図２に示す。このように、利用可能な機器の一覧を単純に表示すると、煩雑になってユーザーが目的のコンテンツを閲覧するのに支障をきたしてしまう可能性がある。
【０００４】
従来この問題を解決するため、複数のＡＶ機器を接続して選択的に制御可能な制御機器とからなるＡＶ機器ネットワークシステムにおいて、制御機器に接続されている複数のＡＶ機器を、その種類別、製造メーカー別に分類してリスト表示する技術が知られている（例えば、特許文献１参照）。
【特許文献１】特開２００２−０４４０９６公報
【発明の開示】
【発明が解決しようとする課題】
【０００５】
従来の制御装置においては、制御機器に接続されている複数のＡＶ機器を、その種類別、製造メーカー別に分類して、機器を選択するためのＡＶ機器リストを表示する。しかし、ユーザーが通信プロトコルの違いによって分類してＡＶ機器をリスト表示させたいと思っても、通信プロトコルの違いによりＡＶ機器をリスト表示することが出来ないという問題があった。
【０００６】
この発明は、通信プロトコルの違いによって機器を分類・配置した、機器選択のためのＧＵＩ画面を表示させることができる制御装置を提供することを目的とする。
【課題を解決するための手段】
【０００７】
上記の目的を達成するために、この発明においては、接続されている機器を検出する機器検出部と、前記検出された機器との間でデータ通信を行うときの通信プロトコルを検出する通信プロトコル検出部と、前記機器が前記通信プロトコル毎に分けて配置された前記機器を選択するためのＧＵＩ画面を生成するＧＵＩ画面生成部とを備えたことを特徴とする制御装置を提供する。
【０００８】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、通信プロトコルの違いによって機器を分類・配置した、機器を選択するためのＧＵＩ画面を表示させることができる。
【発明を実施するための最良の形態】
【００１０】
以下、この発明の実施形態について図面を参照して詳細に説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、記録再生装置１２７、記録再生装置１２８、ＨＤＤ内蔵のＤＶＤ（Digital Versatile Disk）レコーダ１２９等の機器を接続し、これらの機器と映像・音声信号や、制御情報の伝送を行なうために使用される。
【００１８】
なお、記録再生装置１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００２１】
なお、ＰＣ１３３についてはコンテンツのサーバー機器として動作するための機能を持ち、さらにコンテンツのアクセスに必要なＵＲＩ情報を提供するサービスを備えたＵＰｎＰ対応機器として構成される。
【００２２】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２３】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２４】
図２は、上記したデジタルテレビジョン放送受信装置１１１の主要な信号処理系を示している。すなわち、ＢＳ／ＣＳデジタル放送受信用のアンテナ２４３で受信した衛星デジタルテレビジョン放送信号は、入力端子２４４を介して衛星デジタル放送用のチューナ２４５に供給されることにより、所望のチャンネルの放送信号が選局される。
【００２５】
そして、このチューナ２４５で選局された放送信号は、ＰＳＫ（Phase Shift Keying）復調器２４６に供給されて、デジタルの映像信号及び音声信号に復調された後、信号処理部２４７に出力される。
【００２６】
また、地上波放送受信用のアンテナ２４８で受信した地上デジタルテレビジョン放送信号は、入力端子２４９を介して地上デジタル放送用のチューナ２５０に供給されることにより、所望のチャンネルの放送信号が選局される。
【００２７】
そして、このチューナ２５０で選局された放送信号は、例えば日本ではＯＦＤＭ（Orthogonal Frequency Division Multiplexing）復調器２５１に供給されて、デジタルの映像信号及び音声信号に復調された後、上記信号処理部２４７に出力される。
【００２８】
また、上記地上波放送受信用のアンテナ２４８で受信した地上アナログテレビジョン放送信号は、入力端子２４９を介して地上アナログ放送用のチューナ２５２に供給されることにより、所望のチャンネルの放送信号が選局される。そして、このチューナ２５２で選局された放送信号は、アナログ復調器２５３に供給されてアナログの映像信号及び音声信号に復調された後、上記信号処理部２４７に出力される。
【００２９】
ここで、上記信号処理部２４７は、ＰＳＫ復調器２４６及びＯＦＤＭ復調器２５１からそれぞれ供給されたデジタルの映像信号及び音声信号に対して、選択的に所定のデジタル信号処理を施し、グラフィック処理部２５４及び音声処理部２５５に出力している。
【００３０】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３１】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３２】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３３】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３４】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３５】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を前記受光部１１８経由で受信し、その操作内容が反映されるように各部をそれぞれ制御している。
【００３６】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３７】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００３８】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００３９】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバー機能を有し、第１のＬＡＮ端子１２１に接続されたＬＡＮ対応のＨＤＤ１２５にＩＰ（Internet Protocol）アドレスを割り当てて制御している。
【００４０】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４１】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４２】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４３】
ところで、この第１の実施形態では、ＨＤＤ１２５に初期登録時のＨＤＤ１２５、記録再生装置１２７、記録再生装置１２８、ＤＶＤレコーダ１２９それぞれに割り当てられたストレージＩＤ（ＩＰアドレス、機器名を含む）を記述した登録ファイルを記憶保持している。
【００４４】
また、不揮発性メモリ２６１ｃに、ＨＤＤ１２５、記録再生装置１２７、記録再生装置１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４５】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いて記録再生装置１２８を発見する。
【００４６】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、記録再生装置１２８をコントロールし、記録再生装置１２８内のＨＤＤ等に蓄積されているコンテンツをアクセスするために必要なＵＲＩ情報を記録再生装置１２８から取得する。
【００４７】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００４８】
本発明では、ユーザーがコンテンツを選択する前段階として、そのコンテンツが格納されている機器を選択する際、選択可能な機器の一覧を、通信プロトコルでソートして表示する。また、選択可能機器が変化した場合も、随時再ソートし、表示を更新する。
【００４９】
図３は、図１の内、機能しているＡＶ機器のみを取り出した一例を示す図である。以下、理解をしやすいように、図３に示すＡＶ機器のみが機能しているものとして説明する。
【００５０】
図４は、通信プロトコル毎に分けて、ＡＶ機器を表示する例を示した図である。
図４は、接続機器一覧の表示画面であり、例えば、ユーザーはこの画面から所望のコンテンツを記録してあるＡＶ機器を選択すると、次の段のメニューとして当該選択されたＡＶ機器内のコンテンツ一覧画面が表示され、所望のコンテンツを選択することができるようになっている。
【００５１】
通信プロトコル毎に分けて配置した、ＡＶ機器を選択するためのＧＵＩ画面を作成し、ＡＶ機器を表示する。
このように表示することで、通信プロトコル毎に分けて、ＡＶ機器を選択するためのＧＵＩ画面を表示することができる。ＡＶ機器を選択するための象徴としては、例えば、ボタン、アイコン、文字等を用いる。
【００５２】
また、図９に示すように、幾つかの機器が電源ＯＦＦや断線によって一時的に使用することができなくなった状況が起きたとする。この場合も、例えば定期的に制御装置からアクセス可能なＡＶ機器をチェックしてアクセス可能機器の一覧を最新の状態にし、この後再ソーティングを行うことで常に最新の状態で表示することができる。
【００５３】
次に、図５のフローチャートを用いて、ユーザーが本発明の制御装置であるテレビジョン放送受信装置１１１を用いてコンテンツを選択するときの表示を行うときの動作について説明する。なお、これら全体の制御は制御部２６１により制御が行われる。
【００５４】
ステップＳ５０１：テレビジョン放送受信装置１１１内の制御部２６１は、テレビジョン放送受信装置１１１からアクセス可能なＡＶ機器を調査し、この調査の結果見つかった各ＡＶ機器とその通信プロトコルを対応付けて、不揮発性メモリ２６１ｃに記憶する。
【００５５】
ステップＳ５０２：テレビジョン放送受信装置１１１内のＯＳＤ信号生成部２５７は、通信プロトコル毎に分けて配置した、ＡＶ機器を選択するためのＧＵＩ画面を生成し、映像表示器１１４に表示させる。
【００５６】
ステップＳ５０３：ステップＳ５０２による表示画面に対して、ユーザーがリモートコントローラ１１７を介してＡＶ機器を選択すると、例えば、この選択されたＡＶ機器内に保存されているコンテンツを選択するための画面がＯＳＤ信号生成部２５７により生成され、映像表示器１１４に表示される。
【００５７】
以上説明した通り、本発明によれば、通信プロトコルの違いによって機器を分類・配置した、機器を選択するためのＧＵＩ画面を表示させることができる制御装置を得ることができる。
【００５８】
図６は、図１の内、機能しているＡＶ機器のみを取り出した一例を示す図である。以下、理解をしやすいように、図６に示すＡＶ機器のみが機能しているものとして説明する。
【００５９】
図７は、物理的な接続の種別毎に分けた後、この分けた中から更に通信プロトコル毎に分けて、ＡＶ機器を表示する例を示した図である。
図７は、接続機器一覧の表示画面であり、例えば、ユーザーはこの画面から所望のコンテンツを記録してあるＡＶ機器を選択すると、次の段のメニューとして当該選択されたＡＶ機器内のコンテンツ一覧画面が表示され、所望のコンテンツを選択することができるようになっている。
【００６０】
まず、（１）リムーバブルメディア、（２）ＬＡＮ接続されたＡＶ機器、（３）ｉ．ＬＩＮＫ接続されたＡＶ機器の３つの物理的な接続の種別毎に分けた後、この分けた中から更に通信プロトコル毎に分けて、ＡＶ機器を選択するためのＧＵＩ画面を表示する。
【００６１】
このように表示することで、同じ物理的な接続の種別の中で、更に通信プロトコル毎に分けて、ＡＶ機器を選択するためのＧＵＩ画面を表示することができる。ＡＶ機器を選択するための象徴としては、例えば、ボタン、アイコン、文字等を用いる。
【００６２】
また、図９に示すように、幾つかの機器が電源ＯＦＦや断線によって一時的に使用することができなくなった状況が起きたとする。この場合も、例えば定期的に制御装置からアクセス可能なＡＶ機器をチェックしてアクセス可能機器の一覧を最新の状態にし、この後再ソーティングを行うことで常に最新の状態で表示することができる。
【００６３】
次に、図８のフローチャートを用いて、ユーザーが本発明の制御装置であるテレビジョン放送受信装置１１１を用いてコンテンツを選択するときの表示を行うときの動作について説明する。なお、これら全体の制御は制御部２６１により制御が行われる。
【００６４】
ステップＳ８０１：テレビジョン放送受信装置１１１内の制御部２６１は、テレビジョン放送受信装置１１１からアクセス可能なＡＶ機器を調査し、この調査の結果見つかった各ＡＶ機器とその通信プロトコルを対応付けて、不揮発性メモリ２６１ｃに記憶する。
【００６５】
ステップＳ８０２：テレビジョン放送受信装置１１１内の制御部２６１は、（１）リムーバブルメディア、（２）ＬＡＮ接続されたＡＶ機器、（３）ｉ．ＬＩＮＫ接続されたＡＶ機器の３つの物理的な接続の種別毎に分けて配置する。
【００６６】
ステップＳ８０３：テレビジョン放送受信装置１１１内のＯＳＤ信号生成部２５７は、ステップＳ８０２において物理的な接続の種別毎に分けて配置した後、更に、物理的な接続の種別内にて通信プロトコル毎に分けて配置した、ＡＶ機器を選択するためのＧＵＩ画面を生成し、映像表示器１１４に表示させる。
【００６７】
ステップＳ８０４：ステップＳ８０３による表示画面に対して、ユーザーがリモートコントローラ１１７を介してＡＶ機器を選択すると、例えば、この選択されたＡＶ機器内に保存されているコンテンツを選択するための画面がＯＳＤ信号生成部２５７により生成され、映像表示器１１４に表示される。
【００６８】
以上説明した通り、本発明によれば、通信プロトコルの違いによって機器を分類・配置した、機器を選択するためのＧＵＩ画面を表示させることができる制御装置を得ることができる。更に、物理的な接続の種別毎に分けた後、この分けた中から更に通信プロトコル毎に分けて、ＡＶ機器を表示する。
【００６９】
本実施形態は、典型的には、ソフトウェアで制御されるコンピュータにより実現される。この場合のソフトウェアは、プログラムやデータを含み、コンピュータのハードウェアを物理的に活用することで本発明の作用効果を実現するものであり、従来技術を適用可能な部分には好適な従来技術が適用される。さらに、本発明を実現するハードウェアやソフトウェアの具体的な種類や構成、ソフトウェアで処理する範囲などは自由に変更可能である。従って、以下の説明では、本発明を構成する機能ごとにブロック化して図示した仮想的機能ブロック図を用いる。なお、コンピュータを動作させて本発明を実現するためのプログラムも、本発明の一態様である。
【図面の簡単な説明】
【００７０】
【図１】本発明の制御装置を適用したデジタルテレビジョン放送受信装置の外観と、このデジタルテレビジョン放送受信装置を中心として構成されるネットワークシステムの一例を概略的に示す図。
【図２】デジタルテレビジョン放送受信装置１１１の主要な信号処理系を示す図。
【図３】図１の機能している構成を取り出した図。
【図４】映像表示器１１４上に表示されるＧＵＩの例を示す図。
【図５】本発明の制御装置であるテレビジョン放送受信装置１１１の動作を説明するためのフローチャート。
【図６】図１の機能している構成を取り出した図。
【図７】映像表示器１１４上に表示されるＧＵＩの例を示す図。
【図８】本発明の制御装置であるテレビジョン放送受信装置１１１の動作を説明するためのフローチャート。
【図９】機器が電源ＯＦＦや断線によって一時的に使用することができなくなった状況を説明するための図。
【符号の説明】
【００７１】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード（ＩＣカード）、１２１…第１のＬＡＮ（Local Area Network）端子、１２２…第２のＬＡＮ端子、１２３…ＵＳＢ（Universal Serial Bus）端子、１２４…ｉ．ＬＩＮＫ端子、１２５，１３９…ＨＤＤ、１２６…ハブ、１２７…記録再生装置、１２８…記録再生装置、１２９…ＨＤＤ内蔵のＤＶＤ（Digital Versatile Disk）レコーダ、１３０…アナログ伝送路、１３１…ブロードバンドルータ、１３２…ネットワーク、１３３…ＰＣ、１３４，１３６…携帯電話、１３５…ハブ、１３７…デジタルカメラ、１３８…カードリーダ／ライタ、１４０…キーボード、１４１…ＡＶ−ＨＤＤ、１４２…Ｄ（Digital）−ＶＨＳ（Video Home System）、２４３，２４８…アンテナ、２４４…入力端子、２４５…衛星デジタル放送用のチューナ、２４６…ＰＳＫ（Phase Shift Keying）復調器、２４７…信号処理部、２４９…入力端子、２５０，２５２…チューナ、２５１…ＯＦＤＭ（Orthogonal Frequency Division Multiplexing）復調器、２５３…アナログ復調器、２５４…グラフィック処理部、２５５…音声処理部、２５６ａ，２５６ｂ，２５６ｃ，２５６ｄ…入力端子、２５７…ＯＳＤ信号生成部、２５８…映像処理部、２５９，２６０…出力端子、２６１…制御部、２６１ａ…ＲＯＭ（Read Only Memory）、２６１ｂ…ＲＡＭ（Random Access Memory）、２６１ｃ…不揮発性メモリ、２６１ｄ…サーバー機器発見機能、２６１ｅ…コンテンツ情報取得機能、２６１ｆ…コンテンツアクセス制御機能、２６５…カードＩ／Ｆ（Interface）、２６６，２６８…カードホルダ、２６７…カードＩ／Ｆ、２６９，２７０…通信Ｉ／Ｆ、２７１…ＵＳＢ  Ｉ／Ｆ、２７２…ｉ．ＬＩＮＫ  Ｉ／Ｆ。
【図１】
2006352682.tif 000003
【図２】
2006352682.tif 000004
【図３】
2006352682.tif 000005
【図４】
2006352682.tif 000006
【図５】
2006352682.tif 000007
【図６】
2006352682.tif 000008
【図７】
2006352682.tif 000009
【図８】
2006352682.tif 000010
【図９】
2006352682.tif 000011